【手続補正書】
【提出日】平成25年7月3日(2013.7.3)
【手続補正１】
【補正対象書類名】明細書
【補正対象項目名】０００５
【補正方法】変更
【補正の内容】
【０００５】
一方、自然界のパルプ生育材は図１９の様に腐葉土であり、腐葉土は微生物が森林の倒木１９などの植物体を分解（発酵）して食べ、分解し難いセルロース繊維等が残り、風化によって微細化して粉状のセルロースになり、土化したもので養分と保水性が高い。しかし、有機物であるセルロースが土化した粒子の細かい腐葉土は、乾燥すると軽くなって風で飛散してホコリになり易く、また保水性が良いことから水を吸うと泥化するため、雨水によって流出し易く、汚れやすい。したがって、腐葉土は田畑や花壇等の大地での植物栽培には適するが、構築物等の人工物上での植物栽培には適さないという課題があった。
【手続補正２】
【補正対象書類名】明細書
【補正対象項目名】０００７
【補正方法】変更
【補正の内容】
【０００７】
上記の課題を解決して目的を達成するため、図１９の様に自然界における草木状態から腐葉土になるまでの過程を培地分析した結果、植物にとってセルロースは植物体の細胞壁や繊維であり、人間が動物の肉や骨を食べて肉や骨をつくって身体が成長する様に、植物もセルロースを栄養源にして新植物体の細胞壁や繊維のセルロースつくって成長することができるため、セルロース繊維からセルロースが土化した腐葉土までが生育培地の範囲となる。栄養分を豊富に含んだ流動食の様な腐葉土は、分解が進んで多養分化と細分化で植物の培地としては最適であるが取扱い難い前記指摘のような課題があった。一方、セルロース繊維は取扱い易いが分解が不十分であるため繊維質で養分不足の課題がある。万物上、特に人工物上において、何処でも簡単に植物を栽培する事ができる培地としては取扱い易いセルロース繊維の方が適しており、必要に応じて不足分の肥料や保水材を混ぜることにより、図１８の様に人工的にセルロース繊維２のパルプ土壌Ｐをつくることにより、効率よく植物再生人工循環サイクルを回すことができ、今後の野菜工場等の人工植物栽培に有効活用できる。
【手続補正３】
【補正対象書類名】明細書
【補正対象項目名】０００８
【補正方法】変更
【補正の内容】
【０００８】
第１の発明に係る植物栽培方法は、草木の植物体を機械的または化学的、或いは機械的と化学的により処理して（古紙等のパルプ製品の場合は解繊）、植物体を構成している細胞壁および繊維の主要成分である炭水化物のセルロース繊維を取出し、アスファルト、コンクリート、金属、網、石、砂利、砂、土、木板、樹脂、ゴム、布の上に直接敷き詰めることによって、新植物体の生育培地になって植物が栽培できるパルプ土壌（パルプ生育床材）とした。
【手続補正４】
【補正対象書類名】明細書
【補正対象項目名】０００９
【補正方法】変更
【補正の内容】
【０００９】
第２の発明に係る植物栽培方法は、請求項１の取出したセルロース繊維を全面または一部面だけに植物が根を通すことができる網袋や織布袋または生分解性不織布袋の中に詰めてパルプ土嚢とし、アスファルト、コンクリート、金属、網、石、砂利、砂、土、木板、樹脂、ゴムの上に直接配置、設置、敷設して、前記パルプ土嚢の植物が根を通すことができる面上に植物を生育または／或いは予めパルプ土嚢の植物が根を通すことができる面に植物を植えて植物土嚢とした。
【手続補正５】
【補正対象書類名】明細書
【補正対象項目名】００１０
【補正方法】変更
【補正の内容】
【００１０】
第３の発明に係る植物栽培方法は、セルロース繊維にウッドチップ、保水材（軽石、シラス、ゼオライト、破砕貝殻等）、肥料を個別または／或いは複数種混ぜた請求項１のパルプ土壌、請求項２のパルプ土嚢。
【手続補正６】
【補正対象書類名】明細書
【補正対象項目名】００１１
【補正方法】変更
【補正の内容】
【００１１】
第１の発明効果は、セルロース繊維からなるパルプ土壌はセルロース繊維が単体で露出した状態で取り出されており、栽培植物の根が直接接触することによってセルロース繊維が含んでいる水分を吸収すると共に、炭水化物であるセルロース繊維そのものを分解して栄養源として吸収することができるため、水分と養分が供給できる生育培地であり、パルプ土壌を敷設するだけの簡単施工で、何処でも場所を選ばずに植物が容易に栽培できる。したがって、アスファルトやコンクリートを剥がしたり地均し等の基盤工事が必要なく、植物が栽培できる環境下であれば万物上に短期間で植物栽培ができる。また植物栽培が不要になったときの撤去、復元、処理も簡単で栽培植物とパルプ土壌を取り除くだけで施工前の状態に復元ができ、取り除いた植物とパルプ土壌は堆肥（紙の状態と違いミミズや微生物等の分解が早い）または焼却処理ができる。
更に、セルロースは植物体の細胞壁および繊維の主成分で、水分は細胞壁と細胞膜を透して細胞内に蓄えられるため、透水性、保水性が非常に良く、ほぼ１００％の保水率。たとえば、容器の中にセルロース繊維を詰めて水を入れた場合、セルロース繊維の量に関係なく水は容器の容積とほぼ同等の量が入る。したがって、乾いたセルロース繊維のパルプ土壌を１００ミリの厚さで敷いた場合、パルプ土壌を敷いた面積に１００ミリの降雨量があっても保水可能で貯水池の役目を果たす。それ以上降った雨量は飽和して森の湧き水のようにセルロース繊維で濾過されて、きれいな水になって少しずつ流れ出てダムの役割をする。これは腐葉土も同様の結果で、森林があると洪水が起こりにくい事でも証明されている。
更に、パルプ土壌はセルロース繊維で培地層をつくるため、通気性が良く、また絡み合っているので飛散や流出もしない。また、植物の根がセルロース繊維に絡み付くため、根張りと保持性が良く、栽培植物が抜けたり剥がれたりすることが少ない。
更に、乾燥時は非常に軽くて運搬が容易で大量輸送ができ、屋上緑化などの施工にはエレベーター搬送ができるため、クレーン等の重機は使わなくてもよく、輸送コストが少なく済む。
更に、地球環境保全の効果として木資源である間伐材、廃木材や古紙等のパルプを再び植物の生育材として有効活用することにより、森林保護になる。特に、杉やヒノキ等を野菜工場のパルプ土壌に使うと間伐材の需要が増えて森林の手入れが良くなる。また屋上緑化、駐車場緑化、校庭緑化、コンビナート緑化等により、ヒートアイランド対策が容易にでき、地球温暖化防止にもなる。
【手続補正７】
【補正対象書類名】明細書
【補正対象項目名】００１２
【補正方法】変更
【補正の内容】
【００１２】
第２の発明効果は、セルロース繊維であるパルプ土壌を植物が根を通すことができる生分解性繊維の不織布等の袋に詰めることにより、高い保水性で水を吸収すると重く安定した繊維質のパルプ土嚢になり、土手や切通などの斜面（盛土法面等）の土の流出と土砂崩れ防止ができると同時に、植物生育材として芝等の植物を植えることにより、植物の根がパルプ土嚢を通して地面の中に伸びるため、パルプ土嚢は繊維層となって地表固めになる。その後、セルロース繊維であるパルプ土壌と生分解性の袋が自然循環で土に還ることにより、完全なエコの防災緑化になる。なお、パルプ土嚢に予め芝を植えて芝土嚢として置くと災害時等の緊急緑化に即く対応が出来る。更に、袋の底面を防根や防水シートにすることにより、袋単位で何処でも緑化ができる。また緑化の面積やレイアウトは、芝土嚢の数や位置の変更で自由自在にできる。トレーによる緑化の場合も同様である。
【手続補正８】
【補正対象書類名】明細書
【補正対象項目名】００１６
【補正方法】変更
【補正の内容】
【００１６】
図１は、古新聞の古紙１を解繊機Ｋにより機械的に解繊してセルロース繊維２を取り出す過程を示したものであり、古新聞の古紙１を解繊機Ｋの投入口に投入すると送込機で送られて粗解繊、中解繊、綿解繊されて回収機でセルロース繊維２が回収され、袋又は箱詰めされる。なお本発明の紙からのセルロース繊維２は、この解繊方法に限定されるものではない。
【手続補正９】
【補正対象書類名】明細書
【補正対象項目名】００１７
【補正方法】変更
【補正の内容】
【００１７】
図２は、セルロース繊維が植物の生育培地になることを示したものであり、同図（イ）は、図１の解繊機Ｋで古新聞の古紙１を解繊したセルロース繊維２であり、植物体の細胞壁や繊維が絡み合って紙綿状になっている。同図（ロ）は、セルロース繊維の保水性を一本のセルロース繊維２で示したもので、セルロース繊維２は細胞壁４が露出した状態で、水３が触れると細胞壁４と細胞膜（図示せず）を容易に透して中に入り、細胞壁４と細胞膜（図示せず）も含めてセルロース繊維２全体が水３で満たされて保水率１００％の水の塊となる。同図（ハ）は、セルロース繊維２が植物生育培地となることを示したもので、植物５が根６によってセルロース繊維２が含んでいる水３を吸収して、大気中の炭酸ガスと太陽光エネルギーによる炭酸同化作用で炭水化物の植物体をつくると同時に、炭水化物であるセルロース繊維２自体も分解して植物体をつくる栄養源として直接吸収することができる。従って、セルロース繊維２は水分を供給すると共に、養分も供給できるため、植物生育培地となる。
【手続補正１０】
【補正対象書類名】明細書
【補正対象項目名】００１８
【補正方法】変更
【補正の内容】
【００１８】
図３は、請求項１のセルロース繊維２がパルプ土壌Ｐになって植物の栽培が出来ることを示したものであり、図１の古新聞の古紙１を解繊装置Ｋで解繊したセルロース繊維２をパルプ土壌Ｐとしてアスファルト、コンクリート、金属、木板、ゴム、合成樹脂、網、石、砂利、砂、土などの基盤７の上に直接敷き詰め、植物の生育培地として芝、草、木等の植物５を栽培した根６などの生育状態を断面図で示したもので、根６は同じ植物物質であるパルプ土壌Ｐとは馴染みがよく、また図２の（ハ）のように、セルロース繊維２から水分と養分を吸収することができるので同化するように、深くよく伸びてパルプ土壌Ｐの全体に根６が張って生育が早い。特に、芝の生育培地に適するが、種からの生育は発芽するが、発芽時の根６はセルロース繊維２より細く水分と養分が吸収できず難しい。
【手続補正１１】
【補正対象書類名】明細書
【補正対象項目名】００２０
【補正方法】変更
【補正の内容】
【００２０】
図５は、実際に駐車場を芝緑化した一実施例の写真であり、同図（イ）は、セルロース繊維２を車止８の外側のアスファルト７１の上に直接、敷き詰めている作業の写真である。同図（ロ）は、セルロース繊維２をアスファルト７１の上に直接、厚さ約８０ミリで敷き詰めたパルプ土壌Ｐを示した写真。同図（ハ）は、車止８の外側のアスファルト７１をパルプ土壌Ｐで芝緑化した駐車場緑化の完成写真であり、都市部の緑化とヒートアイランド対策になる。また、災害時や防災等で芝が急に必要になったときは、必要な大きさ、必要な形状、必要な面積を切り出すと行き成り芝土嚢、芝マット、芝シートとして即、役立つ。なお、予め広い空き地等に緑化とヒートアイランド対策を兼ねて芝土嚢、芝マット、芝シート用としてパルプ土壌Ｐで芝を生育して置くこともできる。
【手続補正１２】
【補正対象書類名】明細書
【補正対象項目名】００２３
【補正方法】変更
【補正の内容】
【００２３】
図８は、請求項１のセルロース繊維２であるパルプ土壌Ｐを用いた合成樹脂上での植物栽培方法の一実施例として、プラスチック容器７４内でカイワレ大根５２を育てた写真であり、プラスチック容器７４の中にセルロース繊維２をパルプ土壌Ｐとして敷き詰め水を含ませて大根の種（図示せず）を蒔くと、同図（イ）のように、カイワレ大根５２のカイワレ根６２はパルプ土壌Ｐであるセルロース繊維２から水分と養分を吸収するため、伸びが良く長くなり、成長が早い（化学繊維は保水性も養分もない）。カイワレ大根５２を食べるときは、同図（ロ）のように、カイワレ大根５２の葉の部分Ｈと根の部分Ｎを切り離して、葉の部分Ｈは食べ、根の部分Ｎはセルロース繊維２にカイワレ根６２が伸びて一体となった有機物質のパルプ土壌Ｐとなっているため、燃やせるゴミ、または堆肥として出せ、環境に優しい。
この様に、セルロース繊維２であるパルプ土壌Ｐは今後、屋内の野菜工場にもクリーン培地として非常に活用できる。特に、野菜工場の根菜の生育培地として最適であると期待される。
【手続補正１３】
【補正対象書類名】明細書
【補正対象項目名】００２９
【補正方法】変更
【補正の内容】
【００２９】
図１４は、芝マットＭの使用例を示したものであり、同図（イ）は、真夏の鉄板のヒートアイランド対策として、工事用重機１５の屋根に芝マットＭを乗せて緑化したもので、工事用重機１５が汚れたり、傷が付いたりすることがなく簡単に乗せ降ろしができ、芝５１に水をやることにより、さらに涼しく作業が出来る。また、自衛隊車両に固定することにより車両の擬装にも利用できる。更に、ガス・タンクや石油タンク、船、コンビナートなど（図示せず）の鉄板上にも芝マットＭを敷き並べる緑化工法により、簡単にヒートアイランド対策が出来る。同図（ロ）のように、芝マットＭ（図示せず）や芝トレーＴの単位で屋上Ｏ等の緑化を行うと防根シートが必要なく、また緑化面積や緑化レイアウトも自由自在に何時でも変更が出来る。
【手続補正１４】
【補正対象書類名】明細書
【補正対象項目名】００３４
【補正方法】変更
【補正の内容】
【００３４】
図１９は、自然界に於ける倒木、分解、風化、土化で腐葉土になる植物再生自然循環サイクルを示したものであり、森林の倒木１９は微生物によって分解されてセルロース繊維になり、更に微生物の分解と風化が進むと繊維が切れて粉状のセルロースになり、更にセルロースは土化して腐葉土になる。森林の倒木１９が分解してセルロース繊維になると図２（ハ）のように新植物の養分として吸収されるため、セルロース繊維から腐葉土までが植物の生育培地となり、植物は育つ。しかし、セルロース繊維は分解が不十分で養分不足と繊維のため吸収され難いと云う課題はあるが、繊維状態で扱い易く構築物等の人工物上での緑化や植物栽培の培地に適する。セルロース繊維質である腐葉土は、粒子が細かくホコリや泥化になり易く扱い難い課題はあるが、分解が進んで土化して養分があるため、田畑や花壇等の大地での緑化や植物栽培の培地に適する。
このように、セルロース繊維から腐葉土までの各培地の特徴を生かし、土壌として使い分けることにより農作物の生育・味・風味などの農業技術の革新になる。自然界では、生木に寄生する植物があり、またキノコは、生木に生えるキノコから腐葉土に生えるキノコまで幅広くあるのに、野菜は主に腐葉土で栽培しているのが現状である。今後の野菜工場に於いては、水耕栽培とパルプ土壌栽培で新しい農業が生まれる。
【手続補正１５】
【補正対象書類名】特許請求の範囲
【補正対象項目名】全文
【補正方法】変更
【補正の内容】
【特許請求の範囲】
【請求項１】
草木の植物体を機械的または化学的、或いは機械的と化学的により処理（紙は解繊）して植物体を構成している細胞壁および繊維の主要成分である炭水化物のセルロース繊維を取出し、アスファルト、コンクリート、金属、網、石、砂利、砂、土、木板、樹脂、ゴム、布上に直接敷き詰めると、新植物体の生育培地になって植物が栽培できるパルプ土壌としたことを特徴とした植物栽培方法。
【請求項２】
請求項１の取出したセルロース繊維を全面または一部面だけに植物が根を通すことができる網袋や織布袋または生分解性不織布袋の中に詰めてパルプ土嚢とし、アスファルト、コンクリート、金属、網、石、砂利、砂、土、木板、樹脂、ゴムの上に直接配置、設置、敷設して、前記パルプ土嚢の植物が根を通す面上に植物を生育または／或いは予めパルプ土嚢の植物が根を通す面に植物を植えておき植物土嚢としたことを特徴とした植物栽培方法。
【請求項３】
請求項１の取出したセルロース繊維にウッドチップ、保水材、ゼオライト、肥料を個別または／或いは複数種混ぜて植物の生育培地としたことを特徴とした請求項１のパルプ土壌、請求項２のパルプ土嚢の植物栽培方法。